(57)【要約】【課題】水道メーターを交換する際に水道メーターの分解作業を容易かつ迅速に行うことができ、しかも、簡易に構成によりコストを低減することができる水道メーター分解治具を提供する。【解決手段】水道メーター１を載置する固定台座１１と、水道メーター１の外枠６に被せて回転させる操作部材２０と、を有する。固定台座１１は、その上面側に水道メーター１のケース本体２の外周を囲む位置決め壁１３を備え、位置決め壁１３にある縦溝１４内に継手管部３，４が係合することで、水道メーター１は回転不能に拘束される。操作部材２０は、外枠６に上から被せる円筒状のアダプタ２２を備え、該アダプタ２２の内周側にある被係合部２３に外枠６の突起６ａが係合した状態で回転させて外枠６を取り外す。【選択図】図１
2019072805.tif 000002
【特許請求の範囲】
【請求項１】
水道水の使用量を計測する水道メーターであって、円筒状で外周両側より一対の継手管部が突出したケース本体と、該ケース本体の上部開口に組み込まれる表示部と、該表示部に外嵌させて回転により前記ケース本体の上部開口に締結され前記表示部を固定する外枠と、を備えたものを分解するのに用いる水道メーター分解治具において、
前記水道メーターを載置する固定台座と、該固定台座上に載置した水道メーターのうち前記外枠に被せて回転させる操作部材と、を有して成り、
前記固定台座は、その上面側に前記水道メーターのケース本体の外周を囲むように立設された位置決め壁を備え、該位置決め壁には、前記継手管部を回避する縦溝が設けられ、該縦溝の内縁に前記継手管部が係合することで、前記水道メーターを回転不能に拘束するものであり、
前記操作部材は、把持する柄の先端に前記水道メーターの外枠に上から被せる円筒状のアダプタを備え、該アダプタには、その内周側に前記外枠の外周側に設けられた突起に係合する被係合部が設けられ、該被係合部に前記突起が係合した状態でアダプタを回転させることで、前記外枠を取り外し可能なものであることを特徴とする水道メーター分解治具。
【請求項２】
前記位置決め壁は、一対の長方形の板材がそれぞれく字形に中央で屈曲したものを、平面視で互いに両端間が中央より近接し、両端間に前記縦溝分の隙間を空けて対向した状態で立設してなることを特徴とする請求項１に記載の水道メーター分解治具。
【請求項３】
前記位置決め壁は、円筒材を立設してなり、該円筒材の上端縁より下方に向けて前記縦溝が切り欠かれていることを特徴とする請求項１に記載の水道メーター分解治具。
【請求項４】
前記外枠の外周面には、その基準面より突出したブロック状の前記突起が周方向に等間隔で複数設けられており、
前記アダプタの内周面には、前記外枠にある複数の突起が合致して嵌入する位置に前記被係合部が複数設けられていることを特徴とする請求項１，２または３に記載の水道メーター分解治具。
【請求項５】
前記水道メーターは、前記ケース本体の内部に羽根車を備えたものであり、該羽根車は、前記ケース本体の底部中心にボルトによって立設された回転軸により回転可能に軸支されており、
前記回転軸を取り外すものであって、取手より延出した軸部の軸心に沿って前記回転軸を挿通させる中空部が設けられ、軸部の先端に前記中空部に連通して開口し前記ボルトの頭部に外嵌する口部が設けられた第１の付属工具を備えることを特徴とする請求項１，２，３または４に記載の水道メーター分解治具。
【請求項６】
前記水道メーターは、前記各継手管部のうち流入側の先端口の内側にフィルターが着脱自在に装着されており、
前記フィルターを取り外すものであって、取手より延出したピン部の先端側が軸心と交差する方向へ所定角度で屈曲したフックとして形成された第２の付属工具を備えることを特徴とする請求項１，２，３，４または５に記載の水道メーター分解治具。
【発明の詳細な説明】
【技術分野】
【０００１】
本発明は、水道メーターを分解するのに用いる水道メーター分解治具に関する。
【背景技術】
【０００２】
従来より、一般に水道水は、水道管を通して浄水場から各戸や商業施設等へ供給され、各戸や施設等では使用した分の水道料金を水道局へ支払うことになっている。そして、各戸等に引き込まれる水道管には、水道水の使用量を計測する水道メーターが設置されていた。ここで水道メーターは、規格品であり幾つか種類があるが、内部の羽根車を水流で回転させて、この回転数で機械的に流量換算を行い、水道料金を算出する羽根車式のタイプが多く普及している。
【０００３】
水道メーターの管理は、通常は水道局によって行われており、水道メーターの有効期限は８年と定められているため、定期的に取り換える必要があった。かかる取り換え作業には様々な工具類が用いられているが、例えば、トルクレンチ等によって手作業で行う場合には、水道メーターを動かぬように位置決めしなければならない。そのため、水道メーターの位置決め作業を迅速かつ確実に行うことのできる位置決め装置が既に提案されている（例えば特許文献１参照）。
【０００４】
このような位置決め装置は、作業台上にワンウェイクラッチを介して直立する軸が取り付けられており、この軸の先端部に一体に回転可能な治具受けが連結されて構成されている。さらに、治具受けには、水道メーターを保持するための治具が着脱自在に載置される構成であった。
【先行技術文献】
【特許文献】
【０００５】
【特許文献１】特開平７−９２７０号公報
【発明の概要】
【発明が解決しようとする課題】
【０００６】
前述の特許文献１に記載の従来技術では、水道メーターを位置決めする装置だけでも、部品点数が多く構成が複雑であり、コストが嵩むという問題があった。
また、位置決め装置とは別に、水道メーターの蓋部に係合させる工具や、この工具を回転させるドライバツール等も用意する必要がある。これらの工具等は、特に専用品が定められておらず、種類の選択や準備が面倒であり、種類を誤ると分解作業に支障を来す虞もあった。
【０００７】
本発明は、以上のような従来の技術の有する問題点に着目してなされたものであり、水道メーターを交換する際に水道メーターの分解作業を容易かつ迅速に行うことができ、しかも、簡易に構成によりコストを低減することができると共に、他の工具を別途用意する必要もなく全ての作業を完結することができる水道メーター分解治具を提供することを目的としている。
【課題を解決するための手段】
【０００８】
前述した目的を達成するための本発明の要旨とするところは、以下の各項の発明に存する。
［１］水道水の使用量を計測する水道メーター（１，１Ａ）であって、円筒状で外周両側より一対の継手管部（３，４等）が突出したケース本体（２，２Ａ）と、該ケース本体（２，２Ａ）の上部開口に組み込まれる表示部（５）と、該表示部（５）に外嵌させて回転により前記ケース本体（２，２Ａ）の上部開口に締結され前記表示部（５）を固定する外枠（６）と、を備えたものを分解するのに用いる水道メーター分解治具（１０，１０Ａ）において、
前記水道メーター（１，１Ａ）を載置する固定台座（１１，１１Ａ）と、該固定台座（１１，１１Ａ）上に載置した水道メーター（１，１Ａ）のうち前記外枠（６）に被せて回転させる操作部材（２０）と、を有して成り、
前記固定台座（１１，１１Ａ）は、その上面側に前記水道メーター（１，１Ａ）のケース本体（２，２Ａ）の外周を囲むように立設された位置決め壁（１３，１６）を備え、該位置決め壁（１３，１６）には、前記継手管部（３，４等）を回避する縦溝（１４，１７）が設けられ、該縦溝（１４，１７）の内縁に前記継手管部（３，４等）が係合することで、前記水道メーター（１，１Ａ）を回転不能に拘束するものであり、
前記操作部材（２０）は、把持する柄（２１）の先端に前記水道メーター（１，１Ａ）の外枠（６）に上から被せる円筒状のアダプタ（２２）を備え、該アダプタ（２２）には、その内周側に前記外枠（６）の外周側に設けられた突起（６ａ）に係合する被係合部（２３）が設けられ、該被係合部（２３）に前記突起（６ａ）が係合した状態でアダプタ（２２）を回転させることで、前記外枠（６）を取り外し可能なものであることを特徴とする水道メーター分解治具（１０，１０Ａ）。
【０００９】
［２］前記位置決め壁（１３）は、一対の長方形の板材がそれぞれく字形に中央で屈曲したものを、平面視で互いに両端間が中央より近接し、両端間に前記縦溝（１４）分の隙間を空けて対向した状態で立設してなることを特徴とする［１］に記載の水道メーター分解治具（１０）。
【００１０】
［３］前記位置決め壁（１６）は、円筒材を立設してなり、該円筒材の上端縁より下方に向けて前記縦溝（１７）が切り欠かれていることを特徴とする［１］に記載の水道メーター分解治具（１０Ａ）。
【００１１】
［４］前記外枠（６）の外周面には、その基準面より突出したブロック状の前記突起（６ａ）が周方向に等間隔で複数設けられており、
前記アダプタ（２２）の内周面には、前記外枠（６）にある複数の突起（６ａ）が合致して嵌入する位置に前記被係合部（２３）が複数設けられていることを特徴とする［１］，［２］または［３］に記載の水道メーター分解治具（１０，１０Ａ）。
【００１２】
［５］前記水道メーター（１，１Ａ）は、前記ケース本体（２，２Ａ）の内部に羽根車（７）を備えたものであり、該羽根車（７）は、前記ケース本体（２，２Ａ）の底部中心にボルトによって立設された回転軸（８）により回転可能に軸支されており、
前記回転軸（８）を取り外すものであって、取手（４１）より延出した軸部（４２）の軸心に沿って前記回転軸（８）を挿通させる中空部（４３）が設けられ、軸部（４２）の先端に前記中空部（４３）に連通して開口し前記ボルトの頭部に外嵌する口部（４４）が設けられた第１の付属工具（４０）を備えることを特徴とする［１］，［２］，［３］または［４］に記載の水道メーター分解治具（１０，１０Ａ）。
【００１３】
［６］前記水道メーター（１，１Ａ）は、前記各継手管部（３，４等）のうち流入側の先端口の内側にフィルター（９）が着脱自在に装着されており、
前記フィルター（９）を取り外すものであって、取手（５１）より延出したピン部（５２）の先端側が軸心と交差する方向へ所定角度で屈曲したフック（５３）として形成された第２の付属工具（５０）を備えることを特徴とする［１］，［２］，［３］，［４］または［５］に記載の水道メーター分解治具（１０，１０Ａ）。
【００１４】
次に、前述した解決手段に基づく作用を説明する。
水道メーター（１，１Ａ）の交換の際に水道メーター（１，１Ａ）を分解するには、外枠（６）をケース本体（２，２Ａ）の上部開口に対して締結を緩める方向へ回転させて取り外す必要がある。
そこで、前記［１］に記載の水道メーター分解治具（１０，１０Ａ）によれば、先ず固定台座（１１，１１Ａ）の上面側に水道メーター（１，１Ａ）を載置する。
【００１５】
固定台座（１１，１１Ａ）の上面側には、水道メーター（１，１Ａ）のケース本体（２，２Ａ）の外周を囲む位置決め壁（１３，１６）があり、この位置決め壁（１３，１６）の内側に水道メーター（１，１Ａ）を配置する。このとき、ケース本体（２，２Ａ）の外周両側より突出した一対の継手管部（３，４等）は、それぞれ位置決め壁（１３，１６）の縦溝（１４，１７）に収まり、該縦溝（１４，１７）の内縁に継手管部（３，４等）が係合するため、水道メーター（１，１Ａ）は回転不能に拘束される。このように、水道メーター（１，１Ａ）の分解作業時には、固定台座（１１，１１Ａ）上に水道メーター（１，１Ａ）を載せるだけで容易に位置決めすることができる。なお、固定台座（１１，１１Ａ）は予め作業台等に固定されている。
【００１６】
続いて、固定台座（１１，１１Ａ）上の水道メーター（１，１Ａ）に対して、その外枠（６）に操作部材（２０）のアダプタ（２２）を上から被せる。このとき、外枠（６）の外周側にある突起（６ａ）を、アダプタ（２２）の内周側にある被係合部（２３）に係合させる。かかる状態で、操作部材（２０）の柄（２１）を介してアダプタ（２２）を、外枠（６）の締結を緩める方向へ回転させると、ケース本体（２，２Ａ）は回転不能に拘束されているので外枠（６）にのみ回転トルクが作用し、外枠（６）をケース本体（２，２Ａ）から取り外すことができる。
【００１７】
前記［２］に記載の水道メーター分解治具（１０）によれば、固定台座（１１）の位置決め壁（１３）は、一対の長方形の板材がそれぞれく字形に中央で屈曲したものを、平面視で互いに両端間が中央より近接し、両端間に縦溝（１４）分の隙間を空けて対向した状態で立設してなる。このように、位置決め壁（１３）を極めて簡易に構成することができる。
【００１８】
前記［３］に記載の水道メーター分解治具（１０Ａ）によれば、固定台座（１１Ａ）の位置決め壁（１６）は、円筒材を立設してなり、該円筒材の上端縁より下方に向けて縦溝（１７）が切り欠かれている。このように、位置決め壁（１６）を簡易に構成することができ、十分な強度も確保することができる。
【００１９】
前記［４］に記載の水道メーター分解治具（１０，１０Ａ）によれば、水道メーター（１，１Ａ）における外枠（６）の外周面には、その基準面より突出したブロック状の突起（６ａ）が周方向に等間隔で複数設けられている。一方、アダプタ（２２）の内周面には、前記外枠（６）にある複数の突起（６ａ）が合致して嵌入する位置に被係合部（２３）が複数設けられている。このような外枠（６）側の突起（６ａ）とアダプタ（２２）側の被係合部（２３）との係合関係により、アダプタ（２２）の回転動作と一体に外枠（６）も確実に回転させることができる。
【００２０】
前記［５］に記載の水道メーター分解治具（１０，１０Ａ）によれば、水道メーター（１，１Ａ）は、ケース本体（２，２Ａ）の内部に羽根車（７）を備えたものであり、該羽根車（７）は、ケース本体（２，２Ａ）の底部中心にボルトによって立設された回転軸（８）により回転可能に軸支されている。そこで、この回転軸（８）を取り外すための工具（４０）もセットにする。
【００２１】
すなわち、前記回転軸（８）を取り外すものとして、取手（４１）より延出した軸部（４２）の軸心に沿って前記回転軸（８）を挿通させる中空部（４３）が設けられ、軸部（４２）の先端に前記中空部（４３）に連通して開口し前記ボルトの頭部に外嵌する口部（４４）が設けられた第１の付属工具（４０）も組み合わせることで、回転軸（８）の分解作業も併せて容易に行うことが可能となる。
【００２２】
前記［６］に記載の水道メーター分解治具（１０，１０Ａ）によれば、水道メーター（１，１Ａ）は、各継手管部（３，４等）のうち流入側の先端口の内側にフィルター（９）が着脱自在に装着されている。そこで、このフィルター（９）を取り外す工具（５０）もセットにする。
【００２３】
すなわち、前記フィルター（９）を取り外すものとして、取手（５１）より延出したピン部（５２）の先端側が軸心と交差する方向へ所定角度で屈曲したフック（５３）として形成された第２の付属工具（５０）も組み合わせることで、フィルター（９）の分解作業も併せて容易に行うことが可能となる。
【発明の効果】
【００２４】
本発明に係る水道メーター分解治具によれば、水道メーターを交換する際に水道メーターの分解作業を容易かつ迅速に行うことができ、しかも、簡易に構成によりコストを低減することができると共に、他の工具を別途用意する必要もなく全ての作業を完結することができる。
【図面の簡単な説明】
【００２５】
【図１】本発明の第１実施の形態に係る水道メーター分解治具を示す斜視図である。
【図２】本発明の第１実施の形態に係る水道メーター分解治具で分解する水道メーターを示す斜視図である。
【図３】本発明の第１実施の形態に係る水道メーター分解治具の固定台座を示す平面図である。
【図４】本発明の第１実施の形態に係る水道メーター分解治具の固定台座を示す正面図である。
【図５】本発明の第１実施の形態に係る水道メーター分解治具の操作部材を示す平面図である。
【図６】本発明の第１実施の形態に係る水道メーター分解治具の操作部材を示す正面図である。
【図７】本発明の第１実施の形態に係る水道メーター分解治具の操作部材を示す底面図である。
【図８】本発明の第１実施の形態に係る水道メーター分解治具の第１の付属工具を示す正面図である。
【図９】本発明の第１実施の形態に係る水道メーター分解治具の第１の付属工具を示す側面図である。
【図１０】本発明の第１実施の形態に係る水道メーター分解治具の第１の付属工具の要部を拡大して示す側面図である。
【図１１】本発明の第１実施の形態に係る水道メーター分解治具の第１の付属工具の要部を拡大して示す底面図である。
【図１２】本発明の第１実施の形態に係る水道メーター分解治具の第２の付属工具を示す正面図である。
【図１３】本発明の第１実施の形態に係る水道メーター分解治具の第２の付属工具を示す側面図である。
【図１４】本発明の第１実施の形態に係る水道メーター分解治具の使用状態を示す説明図である。
【図１５】本発明の第１実施の形態に係る水道メーター分解治具の使用状態を示す説明図である。
【図１６】本発明の第１実施の形態に係る水道メーター分解治具の使用状態を示す説明図である。
【図１７】本発明の第１実施の形態に係る水道メーター分解治具の使用状態を示す説明図である。
【図１８】本発明の第１実施の形態に係る水道メーター分解治具の使用状態を示す説明図である。
【図１９】本発明の第１実施の形態に係る水道メーター分解治具の使用状態を示す説明図である。
【図２０】本発明の第２実施の形態に係る水道メーター分解治具の固定台座に水道メーターを載置した状態を示す斜視図である。
【図２１】本発明の第２実施の形態に係る水道メーター分解治具の固定台座を示す平面図である。
【図２２】本発明の第２実施の形態に係る水道メーター分解治具の固定台座を示す正面図である。
【図２３】本発明の第２実施の形態に係る水道メーター分解治具の固定台座を示す側面図である。
【図２４】本発明の第２実施の形態に係る水道メーターの回転軸を示す斜視図である。
【図２５】本発明の第２実施の形態に係る水道メーター分解治具の第１の付属工具を示す正面図である。
【図２６】本発明の第２実施の形態に係る水道メーター分解治具の第１の付属工具を示す側面図である。
【図２７】本発明の第２実施の形態に係る水道メーター分解治具の第１の付属工具の要部を拡大して示す側面図である。
【図２８】本発明の第２実施の形態に係る水道メーター分解治具の第１の付属工具の要部を拡大して示す底面図である。
【発明を実施するための形態】
【００２６】
以下、図面に基づき本発明を代表する各種実施の形態を説明する。
本実施の形態に係る水道メーター分解治具１０は、既存の水道メーター１を交換する際や保守・点検時に、水道メーター１を分解するのに用いる工具である。水道メーター分解治具１０は、基本的には、水道メーター１を載置する固定台座１１と、手動により回転させる操作部材２０と、を有して成る。
【００２７】
先ず、水道メーター１の概要について説明する。
水道メーター１は、その内部に羽根車７（図１６参照）を備えた羽根車式と称される規格品である。羽根車式の水道メーター１は、ケース本体２に流入した水により回転する羽根車７の回転数に基づき流量換算を行うように構成されている。図２に示すように、水道メーター１は、円筒状のケース本体２と、該ケース本体２の上部開口に組み込まれる表示部５と、該表示部５に外嵌させて回転によりケース本体２の上部開口に締結され表示部５を固定する外枠６と、を備えている。
【００２８】
ケース本体２は、円筒の中心軸が上下に延びる縦型に設置されるものであり、外周両側には、一対の継手管部３，４が突出するように設けられている。各継手管部３，４は、一方が流入側、他方が流出側として内部に連通しており、それぞれ先端口に水道管（図示せず）が接続され、ケース本体２の内部を水道水が通過する。各継手管部３，４は、ケース本体２の中心軸と直交する同軸直線上に並ぶように設けられ、流入側の継手管部３の先端口の内側にはフィルター９（図１９参照）が取り付けられている。フィルター９は、弾性変形が可能な樹脂製であり、先端口に外側から嵌め込む形状であって数多の小孔が形成されている。
【００２９】
ケース本体２の内部に設置される羽根車７は、上下に延びる中心軸より複数の羽根が放射状に広がるものである。図１６に示すように、羽根車７は、ケース本体２の底部中心より起立した回転軸８を介して回転可能に軸支される。図１７に示すように、回転軸８の下部には、六角ボルトが一体に取り付けられており、この六角ボルトによって回転軸８はケース本体２の底部中心に固定される。
【００３０】
表示部５は、ケース本体２の上部開口の内径に収まるようにカプセル化されている。表示部５の上面は、水道水の積算流量を数字車等でアナログ式ないしデジタル式に表示する表示盤５ａとなっている。表示盤５ａの下方には、前記羽根車７の回転が入力されて水道水の流量換算を行う歯車機構等の関連部品が組み付けられている。表示盤５ａの上方はガラス板で密閉されており、ガラス板を覆うフタ５ｂが開閉可能に設けられている。
【００３１】
表示部５には、その上側からスリーブ状の外枠６が外嵌しており、外枠６を介して表示部５はケース本体２の上部開口に固定される。すなわち、ケース本体２の上部開口の外周面には雄ネジが設けられており、この雄ネジに外枠６の内周面に設けられている雌ネジが螺合する。かかるネジの螺合により、表示部５は上方から押さえられてケース本体２の上部開口に固定される。外枠６の外周面には、その基準面より突出したブロック状の突起６ａが周方向に等間隔おきに４つ設けられている。各突起６ａは、外枠６を回転させる際のストッパとなる。
【００３２】
次に、本発明の根幹をなす水道メーター分解治具１０について説明する。
図１に示すように、水道メーター分解治具１０のうち、固定台座１１は、水平な板状のベース１２の上面側に、水道メーター１のケース本体２の外周を囲う位置決め壁１３を立設したものである。位置決め壁１３には、水道メーター１の継手管部３，４を回避する縦溝１４が設けられている。固定台座１１の上面側に置かれた水道メーター１は、継手管部３，４が縦溝１４の内縁に係合することで回転不能に拘束される。
【００３３】
図３，図４に示すように、ベース１２は、例えば、水道メーター１全体の底面側を覆い得る大きさの四角形の金属板から構成されている。位置決め壁１３は、例えば、一対の細幅な長方形の金属板が、それぞれく字形に中央で屈曲したものから構成されている。位置決め壁１３を成す一対の金属板は、ベース１２の上面側にて平面視で互いに両端間が中央より近接し、両端間に前記縦溝１４に相当する隙間を空けた状態に立設されている。このような位置決め壁１３で囲まれた内側には、水道メーター１のケース本体２が収まるスペースが確保されている。なお、ベース１２の四隅には、作業台等にボルト止めする取付孔を設けても良い。
【００３４】
次いで、水道メーター分解治具１０のうち、操作部材２０は、把持する柄２１の先端に前記水道メーター１の外枠６に上から被せる円筒状のアダプタ２２を設けたものである。柄２１の具体的な形状は特に問わないが、握りやすいように円形断面よりも角形断面にすると良い。また、柄２１の長さも適宜定め得る設計事項であるが、嵩張らず扱いやすい範囲で長くすれば、長いほど小さな力でアダプタ２２を回すことができる。
【００３５】
図５〜図７に示すように、アダプタ２２は、全体として扁平な円筒形状であり、例えば金属で形成されている。アダプタ２２の内径は、外枠６の外径より若干大きく設計されており、その内周側には、外枠６の外周側にある各突起６ａが嵌入する溝状の被係合部２３が、周方向に等間隔で４つ設けられている。アダプタ２２を底面開口より水道メーター１の外枠６に被せて、被係合部２３に突起６ａが係合した状態でアダプタ２２を回転させることで、外枠６を回転させることができる。
【００３６】
アダプタ２２の上面開口には、その外周より中心側に所定幅で張り出したフランジ２４が設けられている。フランジ２４は、その周方向において被係合部２３がある箇所では切り欠かれている。よって、被係合部２３は、アダプタ２２の上面開口に連通している。アダプタ２２の回転操作時に、水道メーター１の表示部５はフランジ２４によって上から押さえられる状態となる。なお、被係合部２３の断面形状およびフランジ２４の切欠形状は、ともに前記突起６ａに形状を合わせた矩形であるが、両側壁の奥壁に関しては、例えば半円形断面にしても構わない。
【００３７】
次に、本実施の形態に係る水道メーター分解治具１０の作用について説明する。  
図１４〜図１９は、水道メーター分解治具の使用状態を示す一連の説明図である。水道メーター１の交換の際に水道メーター１を分解する場合には、先ず図１に示すように、固定台座１１の上面側に水道メーター１を載置する。このとき、水道メーター１のケース本体２は、ベース１２の上面側にある一対の位置決め壁１３，１３の内側に配置する。
【００３８】
固定台座１１上にて水道メーター１は、ケース本体２の外周両側より突出した一対の継手管部３，４が、それぞれ各位置決め壁１３の間で継手管部３，４を回避する縦溝１４に収まり、該縦溝１４の内縁に継手管部３，４が係合する。そのため、水道メーター１は固定台座１１上で回転不能に拘束される。このように、水道メーター１の分解作業時には、固定台座１１上に水道メーター１を載せるだけで容易に位置決めすることができる。なお、固定台座１１は予め作業台等にクランプ等で固定しておく。ベース１２に取付孔があれば、ボルトで作業台等に固定しても良い。
【００３９】
続いて、図１４に示すように、固定台座１１上の水道メーター１に対して、その外枠６に操作部材２０のアダプタ２２を上から被せる。このとき、外枠６の外周側にある各突起６ａを、アダプタ２２の内周側にある各被係合部２３に係合させる。かかる状態で、操作部材２０の柄２１を介してアダプタ２２を、前記外枠６の締結を緩める方向へ回転させる。このとき、ケース本体２は回転不能に拘束されているので、外枠６にのみ回転トルクが作用する。
【００４０】
外枠６の突起６ａとアダプタ２２の被係合部２３とが複数箇所で係合することで、アダプタ２２の回転動作と共に外枠６も確実に回転する。これにより、外枠６をケース本体２から取り外すことができる。アダプタ２２の回転時には、水道メーター１の表示部５はフランジ２４によって上から押さえられるため、回転操作中に表示部５に上向きの力が働いても、不用意にケース本体２から脱落することはない。なお、突起６ａと被係合部２３の数は４つに限られるものではない。また、柄２１が長いほど、小さな力でアダプタ２２を回すことができる。
【００４１】
図１５に示すように、ケース本体２から外枠６を取り外したら、ケース本体２の上部開口より表示部５を外に抜き出すことができる。なお、固定台座１１のベース１２の上面には、外枠６を取り外す際の回転方向を矢印等のマークで記しておけば、外枠６を締結する方向へ誤って回転させることを防ぐことができる。もちろん、水道メーター分解治具１０は、水道メーター１の分解時の外枠６の取り外し作業だけでなく、分解後の外枠６の締結作業にも対応可能となっている。
【００４２】
ケース本体２から表示部５を抜き出すと、ケース本体２の底部に回転軸８を介して軸支された羽根車７（図１６参照）が現れる。羽根車７は、回転軸８より持ち上げるだけで簡単に取り外すことができる。一方、回転軸８は、ケース本体２の底部中心にボルトによって螺合されている。よって、回転軸８を取り外すには専用の工具が必要になるが、本実施の形態では、水道メーター分解治具１０の第１の付属工具４０としてセットになっている。
【００４３】
図８〜図１１に示すように、第１の付属工具４０は、回転軸８を取り外すものであり、全体的にはＴ字形であり、横杆状の取手４１の中央より軸部４２が下方に延出して成る。軸部４２には、その軸心に沿って前記回転軸８を挿通させる中空部４３が設けられている。また、軸部４２の先端には、前記中空部４３に連通して開口し、前記回転軸８のボルト頭部に外嵌する六角形の口部４４が設けられている。
【００４４】
図１７に示すように、ケース本体２の上部開口から第１の付属工具４０の軸部４２の先端を回転軸８の真上から合わせる。そして、口部４４を回転軸８のボルト頭部に係合させた状態で緩める方向に回転させることにより、回転軸８をケース本体２から取り外すことができる。把持する取手４１は軸部４２とＴ字形に連なるため、取手４１を回転させる際に均等に力をかけやすい。
【００４５】
このような第１の付属工具４０も組み合わせることにより、別途専用の工具を用意することなく、ケース本体２からの回転軸８の分解作業も併せて容易に行うことが可能となる。なお、取手４１自体の長手方向と直交する幅は、軸部４２の外径と同程度の薄さに抑えられているため、口部４４に回転軸８を差し込む際に視界を大きく遮ることはない。
【００４６】
また、水道メーター１では、流入側の継手管部３の先端口の内側にフィルター９（図１９参照）が着脱自在に装着されている。ここでフィルター９は、異物の混入を防ぐものであり、例えば金属網状のストレーナ等が該当し、水道メーター１の分解時に交換することが望まれる。フィルター９を取り外すにも専用の工具が必要となるが、本実施の形態では、水道メーター分解治具１０の第２の付属工具５０としてセットになっている。
【００４７】
図１２，図１３に示すように、第２の付属工具５０は、フィルター９を取り外すものであり、全体的にはＴ字形であり、横杆状の取手５１の中央よりピン部５２が下方に延出して成る。ピン部５２の先端側が軸心と交差する方向へ所定角度で屈曲したフック５３として形成されている。
【００４８】
図１８に示すように、ケース本体２の継手管部３の先端口から第２の付属工具５０のピン部５２の先端側を差し入れて、フック５３をフィルター９に引っ掛けて抜き出すことができる。把持する取手５１はピン部５２とＴ字形に連なるため、フィルター９を引き抜く際に握りやすい。図１９に示すフィルター９は、有底円筒形のものであるが、他に例えば円盤形のものでも対応することができる。
【００４９】
このような第２の付属工具５０も組み合わせることにより、別途専用の工具を用意することなく、ケース本体２からのフィルター９の取り外し作業も併せて容易に行うことが可能となる。なお、ピン部５２の先端側のフック５３を屈曲させる角度は、図中の略直角に限られることなく、フィルター９の適所に引っ掛けられる形状であれば足りる。
【００５０】
以上のように、水道メーター分解治具１０によれば、水道メーター１を容易に分解してケース本体２から表示部５を取り出すことができ、併せて、回転軸８やフィルター９も容易に取り外すことができる。表示部５等は新たなものと交換した後、ケース本体２はそのまま再利用することができる。
【００５１】
ところで、水道メーター１には、大きさの異なる複数種類の規格があり、例えば代表的な例として、ケース本体２の口径の大きさが１３ｍｍと２０ｍｍの２つのタイプが存在する。よって、この２つの大きさの規格に合わせて、少なくとも２種類の水道メーター分解治具１０を用意すると良い。前述した水道メーター分解治具１０は、ケース本体２の口径が２０ｍｍのタイプに適したものである。
【００５２】
図２に示した水道メーター１は、ケース本体２の口径が２０ｍｍのタイプであり、これとは別の１３ｍｍのタイプは、図２０に示すように、水道メーター１Ａの全体形状が水道メーター１とは若干異なっている。すなわち、前記水道メーター１では、一対の継手管部３，４は、それぞれ基端より先窄まりで両側に延びているが、水道メーター１Ａでは、ケース本体２Ａの外径が小さいだけでなく、ケース本体２Ａの両側に突出する一対の継手管部３Ａ，４Ａが短く、それぞれ基端から先端口にかけて同径で突出している。
【００５３】
水道メーター１の多少の形状・大きさの違いに対しては、前述した水道メーター分解治具１０における固定台座１１やアダプタ２２の設計変更の範囲内で対応することができる。ただし、水道メーター１Ａのように異なる場合には、これに対応した別の実施の形態に係る水道メーター分解治具１０Ａを用意すると良い。
【００５４】
図２０〜図２８は、本発明の第２実施の形態を示している。本実施の形態に係る水道メーター分解治具１０Ａは、基本的な構造は前記水道メーター分解治具１０と同様であるが、固定台座１１Ａと第１の付属工具６０が前記水道メーター分解治具１０のものとは異なっている。なお、第１実施の形態と同種の部位には、同一符号を付して重複した説明を省略する。
【００５５】
図２１〜図２３に示すように、水道メーター分解治具１０Ａのうち、固定台座１１Ａは、水平な板状のベース１２の上面側に、水道メーター１Ａのケース本体２Ａの外周を囲う位置決め壁１６を立設したものである。ここで位置決め壁１６は、金属製の円筒材をベース１２の上面側に固設して成る。円筒材の上端縁より下方に向けて、直径方向に対向する一対の縦溝１７，１７が切り欠かれている。
【００５６】
位置決め壁１６である円筒材の内径は、水道メーター１Ａのケース本体２Ａの外径より多少大きく設定されており、円筒材の内側には、ちょうどケース本体２Ａが収まるスペースが確保されている。固定台座１１Ａの上面側にて位置決め壁１６内に置かれた水道メーター１Ａは、その継手管部３Ａ，４Ａが各縦溝１７，１７の内縁に係合することで回転不能に拘束される。なお、ベース１２の四隅には、作業台等にボルト止めする取付孔を設けているが、省略してもかまわない。
【００５７】
また、水道メーター１Ａでは、ケース本体２Ａの底部に羽根車７を軸支する回転軸８Ａが前記回転軸８とは異なっている。すなわち、図２４に示すように、回転軸８Ａは、円板を介してケース本体２Ａの底部にネジ止めされるものであり、ネジの回転は、円板に穿設された一対の小孔にピンを係合した状態で操作される。よって、回転軸８Ａを取り外すには専用の工具が必要になるが、第２実施の形態では、前記第１の付属工具４０とは異なる第１の付属工具６０がセットになっている。
【００５８】
図２５〜図２８に示すように、第１の付属工具６０は、回転軸８Ａを取り外すものであり、全体的にはＴ字形であり、横杆状の取手６１の中央より軸部６２が下方に延出して成る。軸部６２には、その軸心に沿って前記回転軸８Ａを挿通させる挿通孔６３が設けられている。また、軸部６２の先端には、前記挿通孔６３の開口を間にして、前記回転軸８Ａの円板にある一対の小孔に嵌入する一対のピン６４，６４が突設されている。
【００５９】
図示省略したが、ケース本体２Ａの上部開口から第１の付属工具６０の軸部６２の先端を回転軸８Ａの真上から合わせる。そして、一対のピン６４，６４を回転軸８Ａ側の小孔に嵌入させた状態で緩める方向に回転させれば、回転軸８Ａをケース本体２Ａから取り外すことができる。把持する取手６１は軸部６２とＴ字形に連なるため、取手６１を回転させる際に均等に力をかけやすい。第１の付属工具６０は、厚みのある金属板をＴ字形に加工することで簡易に製作することができる。また、前記第１の付属工具４０よりも全体の厚さも薄いため、挿通孔６３に回転軸８Ａを差し込む際に視界を大きく遮ることはない。
【００６０】
このように、第２実施の形態においても、水道メーター１Ａに対応した第１の付属工具６０も組み合わせることにより、別途専用の工具を用意することなく、ケース本体２Ａからの回転軸８Ａの分解作業も併せて容易に行うことが可能となる。
なお、水道メーター分解治具１０Ａのうち、操作部材２０は水道メーター分解治具１０のものと同様であり、アダプタ２２が水道メーター１Ａの外枠６の外径に合わせた大きさに設計されている。異なる大きさや形状の固定台座や操作部材に関しては、異なる塗装で色分けして明確に区別できるようにすると良い。
【００６１】
以上、本発明の実施の形態を図面によって説明してきたが、具体的な構成は前述したような実施の形態に限られるものではなく、本発明の要旨を逸脱しない範囲における変更や追加があっても本発明に含まれる。例えば、水道メーター１，１Ａの具体的な形状も図示した例に限定されることはない。また、第１の付属工具４０，６０や第２の付属工具５０は、必ずしも必須ではなく組み合わせなくても良い。
【産業上の利用可能性】
【００６２】
本発明は、水道メーターを分解するのに用いる治具として広く適用することができる。
【符号の説明】
【００６３】
１，１Ａ…水道メーター
２，２Ａ…ケース本体
３，３Ａ…継手管部
４，４Ａ…継手管部
５…表示部
６…外枠
６ａ…突起
１０，１０Ａ…水道メーター分解治具
１１，１１Ａ…固定台座
１２…ベース
１３，１６…位置決め壁
１４，１７…縦溝
２０…操作部材
２１…柄
２２…アダプタ
２３…被係合部
２４…フランジ
４０，６０…第１の付属工具
５０…第２の付属工具
【図１】
2019072805.tif 000003
【図２】
2019072805.tif 000004
【図３】
2019072805.tif 000005
【図４】
2019072805.tif 000006
【図５】
2019072805.tif 000007
【図６】
2019072805.tif 000008
【図７】
2019072805.tif 000009
【図８】
2019072805.tif 000010
【図９】
2019072805.tif 000011
【図１０】
2019072805.tif 000012
【図１１】
2019072805.tif 000013
【図１２】
2019072805.tif 000014
【図１３】
2019072805.tif 000015
【図１４】
2019072805.tif 000016
【図１５】
2019072805.tif 000017
【図１６】
2019072805.tif 000018
【図１７】
2019072805.tif 000019
【図１８】
2019072805.tif 000020
【図１９】
2019072805.tif 000021
【図２０】
2019072805.tif 000022
【図２１】
2019072805.tif 000023
【図２２】
2019072805.tif 000024
【図２３】
2019072805.tif 000025
【図２４】
2019072805.tif 000026
【図２５】
2019072805.tif 000027
【図２６】
2019072805.tif 000028
【図２７】
2019072805.tif 000029
【図２８】
2019072805.tif 000030
【手続補正書】
【提出日】平成30年10月19日(2018.10.19)
【手続補正１】
【補正対象書類名】特許請求の範囲
【補正対象項目名】全文
【補正方法】変更
【補正の内容】
【特許請求の範囲】
【請求項１】
水道水の使用量を計測する水道メーターであって、円筒状で外周両側より一対の継手管部が突出したケース本体と、該ケース本体の上部開口に組み込まれる表示部と、該表示部に外嵌させて回転により前記ケース本体の上部開口に締結され前記表示部を固定する外枠と、を備えたものを分解するのに用いる水道メーター分解治具において、
前記水道メーターを載置する固定台座と、該固定台座上に載置した水道メーターのうち前記外枠に被せて回転させる操作部材と、を有して成り、
前記固定台座は、その上面側に前記水道メーターのケース本体の外周を囲むように立設された一対の長方形の板材を備え、各板材は、それぞれく字形に中央で屈曲したものが、ベース上に平面視で互いに両端間が中央より近接し、両端間に隙間を空けて対向した状態に立設され、各板材で囲まれた内側に前記ケース本体が収まり、かつ各板材の両端間の隙間に前記継手管部が係合することで、前記水道メーターを回転不能に拘束するものであり、
前記操作部材は、把持する柄の先端に前記水道メーターの外枠に上から被せる円筒状のアダプタを備え、該アダプタには、その内周側に前記外枠の外周側に設けられた突起に係合する被係合部が設けられ、該被係合部に前記突起が係合した状態でアダプタを回転させることで、前記外枠を取り外し可能なものであることを特徴とする水道メーター分解治具。
【請求項２】
前記外枠の外周面には、その基準面より突出したブロック状の前記突起が周方向に等間隔で複数設けられており、
前記アダプタの内周面には、前記外枠にある複数の突起が合致して嵌入する位置に前記被係合部が複数設けられていることを特徴とする請求項１に記載の水道メーター分解治具。
【請求項３】
前記水道メーターは、前記ケース本体の内部に羽根車を備えたものであり、該羽根車は、前記ケース本体の底部中心にボルトによって立設された回転軸により回転可能に軸支されており、
前記回転軸を取り外すものであって、取手より延出した軸部の軸心に沿って前記回転軸を挿通させる中空部が設けられ、軸部の先端に前記中空部に連通して開口し前記ボルトの頭部に外嵌する口部が設けられた第１の付属工具を備えることを特徴とする請求項１または２に記載の水道メーター分解治具。
【請求項４】
前記水道メーターは、前記各継手管部のうち流入側の先端口の内側にフィルターが着脱自在に装着されており、
前記フィルターを取り外すものであって、取手より延出したピン部の先端側が軸心と交差する方向へ所定角度で屈曲したフックとして形成された第２の付属工具を備えることを特徴とする請求項１，２または３に記載の水道メーター分解
【手続補正２】
【補正対象書類名】明細書
【補正対象項目名】０００８
【補正方法】変更
【補正の内容】
【０００８】
前述した目的を達成するための本発明の要旨とするところは、以下の各項の発明に存する。
［１］水道水の使用量を計測する水道メーター（１）であって、円筒状で外周両側より一対の継手管部（３）が突出したケース本体（２）と、該ケース本体（２）の上部開口に組み込まれる表示部（５）と、該表示部（５）に外嵌させて回転により前記ケース本体（２）の上部開口に締結され前記表示部（５）を固定する外枠（６）と、を備えたものを分解するのに用いる水道メーター分解治具（１０）において、
前記水道メーター（１）を載置する固定台座（１１）と、該固定台座（１１）上に載置した水道メーター（１）のうち前記外枠（６）に被せて回転させる操作部材（２０）と、を有して成り、
前記固定台座（１１）は、その上面側に前記水道メーター（１）のケース本体（２）の外周を囲むように立設された一対の長方形の板材（１３）を備え、各板材（１３）は、それぞれく字形に中央で屈曲したものが、ベース（１２）上に平面視で互いに両端間が中央より近接し、両端間に隙間（１４）を空けて対向した状態に立設され、各板材（１３）で囲まれた内側に前記ケース本体（２）が収まり、かつ各板材（１３）の両端間の隙間（１４）に前記継手管部（３）が係合することで、前記水道メーター（１）を回転不能に拘束するものであり、
前記操作部材（２０）は、把持する柄（２１）の先端に前記水道メーター（１）の外枠（６）に上から被せる円筒状のアダプタ（２２）を備え、該アダプタ（２２）には、その内周側に前記外枠（６）の外周側に設けられた突起（６ａ）に係合する被係合部（２３）が設けられ、該被係合部（２３）に前記突起（６ａ）が係合した状態でアダプタ（２２）を回転させることで、前記外枠（６）を取り外し可能なものであることを特徴とする水道メーター分解治具（１０）。
【手続補正３】
【補正対象書類名】明細書
【補正対象項目名】０００９
【補正方法】削除
【補正の内容】
【手続補正４】
【補正対象書類名】明細書
【補正対象項目名】００１０
【補正方法】削除
【補正の内容】
【手続補正５】
【補正対象書類名】明細書
【補正対象項目名】００１１
【補正方法】変更
【補正の内容】
【００１１】
［２］前記外枠（６）の外周面には、その基準面より突出したブロック状の前記突起（６ａ）が周方向に等間隔で複数設けられており、
前記アダプタ（２２）の内周面には、前記外枠（６）にある複数の突起（６ａ）が合致して嵌入する位置に前記被係合部（２３）が複数設けられていることを特徴とする［１］に記載の水道メーター分解治具（１０）。
【手続補正６】
【補正対象書類名】明細書
【補正対象項目名】００１２
【補正方法】変更
【補正の内容】
【００１２】
［３］前記水道メーター（１）は、前記ケース本体（２）の内部に羽根車（７）を備えたものであり、該羽根車（７）は、前記ケース本体（２）の底部中心にボルトによって立設された回転軸（８）により回転可能に軸支されており、
前記回転軸（８）を取り外すものであって、取手（４１）より延出した軸部（４２）の軸心に沿って前記回転軸（８）を挿通させる中空部（４３）が設けられ、軸部（４２）の先端に前記中空部（４３）に連通して開口し前記ボルトの頭部に外嵌する口部（４４）が設けられた第１の付属工具（４０）を備えることを特徴とする［１］または［２］に記載の水道メーター分解治具（１０）。
【手続補正７】
【補正対象書類名】明細書
【補正対象項目名】００１３
【補正方法】変更
【補正の内容】
【００１３】
［４］前記水道メーター（１）は、前記各継手管部（３）のうち流入側の先端口の内側にフィルター（９）が着脱自在に装着されており、
前記フィルター（９）を取り外すものであって、取手（５１）より延出したピン部（５２）の先端側が軸心と交差する方向へ所定角度で屈曲したフック（５３）として形成された第２の付属工具（５０）を備えることを特徴とする［１］，［２］または［３］に記載の水道メーター分解治具（１０）。
【手続補正８】
【補正対象書類名】明細書
【補正対象項目名】００１４
【補正方法】変更
【補正の内容】
【００１４】
次に、前述した解決手段に基づく作用を説明する。
水道メーター（１）の交換の際に水道メーター（１）を分解するには、外枠（６）をケース本体（２）の上部開口に対して締結を緩める方向へ回転させて取り外す必要がある。
そこで、前記［１］に記載の水道メーター分解治具（１０）によれば、先ず固定台座（１１）の上面側に水道メーター（１）を載置する。
【手続補正９】
【補正対象書類名】明細書
【補正対象項目名】００１５
【補正方法】変更
【補正の内容】
【００１５】
固定台座（１１）のベース（１２）上には、水道メーター（１）のケース本体（２）の外周を囲む一対の板材（１３）があり、各板材（１３）の内側に水道メーター（１）を配置する。このとき、ケース本体（２）の外周両側より突出した一対の継手管部（３）は、それぞれ各板材（１３）の両端間の隙間（１４）に収まり、該隙間（１４）に継手管部（３）が係合するため、水道メーター（１）は回転不能に拘束される。このように、水道メーター（１）の分解作業時には、固定台座（１１）上に水道メーター（１）を載せるだけで容易に位置決めすることができる。なお、固定台座（１１）は予め作業台等に固定されている。
【手続補正１０】
【補正対象書類名】明細書
【補正対象項目名】００１６
【補正方法】変更
【補正の内容】
【００１６】
続いて、固定台座（１１）上の水道メーター（１）に対して、その外枠（６）に操作部材（２０）のアダプタ（２２）を上から被せる。このとき、外枠（６）の外周側にある突起（６ａ）を、アダプタ（２２）の内周側にある被係合部（２３）に係合させる。かかる状態で、操作部材（２０）の柄（２１）を介してアダプタ（２２）を、外枠（６）の締結を緩める方向へ回転させると、ケース本体（２）は回転不能に拘束されているので外枠（６）にのみ回転トルクが作用し、外枠（６）をケース本体（２）から取り外すことができる。
【手続補正１１】
【補正対象書類名】明細書
【補正対象項目名】００１７
【補正方法】削除
【補正の内容】
【手続補正１２】
【補正対象書類名】明細書
【補正対象項目名】００１８
【補正方法】削除
【補正の内容】
【手続補正１３】
【補正対象書類名】明細書
【補正対象項目名】００１９
【補正方法】変更
【補正の内容】
【００１９】
前記［２］に記載の水道メーター分解治具（１０）によれば、水道メーター（１）における外枠（６）の外周面には、その基準面より突出したブロック状の突起（６ａ）が周方向に等間隔で複数設けられている。一方、アダプタ（２２）の内周面には、前記外枠（６）にある複数の突起（６ａ）が合致して嵌入する位置に被係合部（２３）が複数設けられている。このような外枠（６）側の突起（６ａ）とアダプタ（２２）側の被係合部（２３）との係合関係により、アダプタ（２２）の回転動作と一体に外枠（６）も確実に回転させることができる。
【手続補正１４】
【補正対象書類名】明細書
【補正対象項目名】００２０
【補正方法】変更
【補正の内容】
【００２０】
前記［３］に記載の水道メーター分解治具（１０）によれば、水道メーター（１）は、ケース本体（２）の内部に羽根車（７）を備えたものであり、該羽根車（７）は、ケース本体（２）の底部中心にボルトによって立設された回転軸（８）により回転可能に軸支されている。そこで、この回転軸（８）を取り外すための工具（４０）もセットにする。
【手続補正１５】
【補正対象書類名】明細書
【補正対象項目名】００２２
【補正方法】変更
【補正の内容】
【００２２】
前記［４］に記載の水道メーター分解治具（１０）によれば、水道メーター（１）は、各継手管部（３）のうち流入側の先端口の内側にフィルター（９）が着脱自在に装着されている。そこで、このフィルター（９）を取り外す工具（５０）もセットにする。
【手続補正書】
【提出日】平成31年1月10日(2019.1.10)
【手続補正１】
【補正対象書類名】特許請求の範囲
【補正対象項目名】請求項４
【補正方法】変更
【補正の内容】
【請求項４】
前記水道メーターは、前記各継手管部のうち流入側の先端口の内側にフィルターが着脱自在に装着されており、
前記フィルターを取り外すものであって、取手より延出したピン部の先端側が軸心と交差する方向へ所定角度で屈曲したフックとして形成された第２の付属工具を備えることを特徴とする請求項１，２または３に記載の水道メーター分解治具。